(57)【要約】【課題】折畳み可能な構造として、保管時或いは運送時に、保管スペースまたは積荷スペースを大幅に削減し、安定して積み重ね保管を行なうことができる遊技機の枠装置を提供する。【解決手段】上辺を構成する上辺枠１と、下辺を構成する下辺枠２と、一方の縦辺を構成する第１縦辺枠３と、他方の縦辺を構成する第２縦辺枠４とを備え、各辺枠を折り畳み可能に連結した、遊技機の枠装置である。上辺枠１または下辺枠２の外側面に、折り畳まれた枠装置の幅寸法と略同一の幅を持つ浅い積層用溝部４１が所定の間隔をあけて複数個並設される。枠装置を棒状または板状に折り畳んだ状態で水平載置面上に、複数の枠装置を直交する形態で上下に積み重ねたとき、積層用溝部４１に上または下の枠装置の上辺枠１、下辺枠２、第１縦辺枠３または第２縦辺枠４の外側面が嵌入して積層される。【選択図】図３０
2011010825.tif 000002
【特許請求の範囲】
【請求項１】
上辺を構成する上辺枠と、下辺を構成する下辺枠と、一方の縦辺を構成する第１縦辺枠と、他方の縦辺を構成する第２縦辺枠とを備え、各辺枠を折り畳み可能に連結した、遊技機の枠装置であって、
該上辺枠と該第１縦辺枠を連結する第１上角部は直角から鋭角側に開閉する鋭角丁番によって回動可能に連結され、該上辺枠と該第２縦辺枠を連結する第２上角部は直角から鈍角側に開閉する鈍角丁番によって回動可能に連結され、該下辺枠と該第１縦辺枠を連結する第１下角部は直角から鈍角側に開閉する鈍角丁番によって回動可能に連結され、該下辺枠と該第２縦辺枠を連結する第２下角部は直角から鋭角側に開閉する鋭角丁番によって回動可能に連結され、
該第１上角部及び第２下角部の各鋭角丁番には、丁番の各回動部材の開閉角度を直角状態にロックするロック部材が設けられ、第２上角部及び第１下角部の各鈍角丁番は該上辺枠または該第２縦辺枠或いは下辺枠または第１縦辺枠に対しその長手方向に摺動可能に取り付けられる一方、該鈍角丁番を該上辺枠または該第２縦辺枠内に及び下辺枠または第１縦辺枠引き込むように締め付ける緊締クランプが該鈍角丁番に設けられ、
各鈍角丁番の緊締クランプの締め付けを解除して該鈍角丁番を辺枠から引き出し、各鋭角丁番の各ロック部材のロックを解除したとき、該各角部の鋭角丁番及び鈍角丁番の各回動部材が回動可能となり、各該鋭角丁番が直角から鋭角側に回動し、各該鈍角丁番が直角から鈍角側に回動して、該上辺枠の側面を該第１縦辺枠または第２縦辺枠の側面に当接させ、且つ該下辺枠の側面を該第１縦辺枠または第２縦辺枠の側面に当接させるように各該鋭角丁番と各該鈍角丁番の各回動部材を回動させて折り畳むように構成され、
前記上辺枠または下辺枠の外側面に、折り畳まれた該枠装置の幅寸法と略同一の幅を持つ浅い積層用溝部が所定の間隔をあけて複数個並設され、該枠装置を棒状または帯板状に折り畳んだ状態で水平載置面上に、複数の該枠装置を直交する形態で上下に積み重ねたとき、該積層用溝部に上または下の枠装置の該上辺枠、下辺枠、第１縦辺枠または第２縦辺枠の外側面が嵌入して積層されることを特徴とする遊技機の枠装置。
【請求項２】
前記第１縦辺枠または第２縦辺枠の外側面に、複数のリブが、折り畳まれた該枠装置の幅寸法と略同一の間隔をあけて並設され、該枠装置を棒状または板状に折り畳んだ状態で水平載置面上に、複数の該枠装置を直交する形態で上下に積み重ねたとき、該リブとリブの間に上または下の枠装置の該上辺枠、下辺枠、第１縦辺枠または第２縦辺枠の外側面が嵌入して積層されることを特徴とする請求項１記載の遊技機の枠装置。
【請求項３】
枠装置を折り畳んだ状態でその上面から下面を貫通する複数の貫通孔が、前記上辺枠、下辺枠、第１縦辺枠及び第２縦辺枠に形成され、棒状または帯板状に折り畳まれた複数の該枠装置を直交する形態で上下に積み重ねた状態で、該複数の貫通孔に保持棒を嵌挿して積層状態を保持することを特徴とする請求項１または２記載の遊技機の枠装置。
【請求項４】
上辺を構成する上辺枠と、下辺を構成する下辺枠と、一方の縦辺を構成する第１縦辺枠と、他方の縦辺を構成する第２縦辺枠とを備え、各辺枠を折り畳み可能に連結した、遊技機の枠装置であって、
該上辺枠と該第１縦辺枠を連結する第１上角部は直角から鋭角側に開閉する鋭角丁番によって回動可能に連結され、該上辺枠と該第２縦辺枠を連結する第２上角部は直角から鈍角側に開閉する鈍角丁番によって回動可能に連結され、該下辺枠と該第１縦辺枠を連結する第１下角部は直角から鈍角側に開閉する鈍角丁番によって回動可能に連結され、該下辺枠と該第２縦辺枠を連結する第２下角部は直角から鋭角側に開閉する鋭角丁番によって回動可能に連結され、
該第１上角部及び第２下角部の各鋭角丁番には、丁番の各回動部材の開閉角度を直角状態にロックするロック部材が設けられ、第２上角部及び第１下角部の各鈍角丁番は該上辺枠または該第２縦辺枠或いは下辺枠または第１縦辺枠に対しその長手方向に摺動可能に取り付けられる一方、該鈍角丁番を該上辺枠または該第２縦辺枠内に及び下辺枠または第１縦辺枠引き込むように締め付ける緊締クランプが該鈍角丁番に設けられ、
各鈍角丁番の緊締クランプの締め付けを解除して該鈍角丁番を辺枠から引き出し、各鋭角丁番の各ロック部材のロックを解除したとき、該各角部の鋭角丁番及び鈍角丁番の各回動部材が回動可能となり、各該鋭角丁番が直角から鋭角側に回動し、各該鈍角丁番が直角から鈍角側に回動して、該上辺枠の側面を該第１縦辺枠または第２縦辺枠の側面に当接させ、且つ該下辺枠の側面を該第１縦辺枠または第２縦辺枠の側面に当接させるように各該鋭角丁番と各該鈍角丁番の各回動部材を回動させて折り畳むように構成され、
前記上辺枠及び下辺枠の内側に、長手方向に沿って板状空間が設けられる一方、該板状空間の両側にガイド溝が形成され、該上辺枠及び下辺枠に長孔が長手方向に向けて設けられ、該上辺枠及び下辺枠内の板状空間には、固定孔を設けた金属固定板が該両側のガイド溝に該金属固定板の両側縁部を摺動可能に係合して取り付けられたことを特徴とする遊技機の枠装置。 
【発明の詳細な説明】
【技術分野】
【０００１】
本発明は、パチンコ遊技機の外枠などに適用される遊技機の枠装置に関し、特にアルミニウムなどの金属部材により形成したリサイクル、リユース可能な構造とすると共に、折り畳み可能な構造とした枠装置に関する。
【背景技術】
【０００２】
従来、パチンコ遊技機の外枠は、合板などの木製が一般的であり、上枠板、下枠板、左右の側面枠板が各々帯状に裁断され、各板が方形枠状に組み合わせられ、それらの角部に、ヒンジ金具、補強金具などを固定して、外枠が方形枠状に形成される。しかしながら、この種の木製の外枠は、製造時に木部が破損した場合、或いは使用済みの遊技機を廃棄処分する際、ヒンジ金具などの金具類を取り外した後、木部を廃棄（焼却）処分しているため、金具類の取り外しに多くの工数が必要となる一方、リサイクルやリユースを行なうことができないという課題があった。
【０００３】
そこで、従来、リサイクルの観点からアルミニウムなどの金属材料を使用した遊技機の外枠が下記特許文献１，２で提案されている。
【先行技術文献】
【特許文献】
【０００４】
【特許文献１】特開２００２−１４３４８９号公報
【特許文献２】特開２００３−１７５２３９号公報
【特許文献３】特許第４００４７２７号公報
【発明の概要】
【発明が解決しようとする課題】
【０００５】
このようなアルミニウムなどの金属材料を使用した遊技機の外枠は、各辺の枠体を角筒型にすることにより、或いは枠体の横断面をコ字状などとすることにより、必要な強度を保持しながら軽量化を図ってはいるものの、遊技機の外枠は通常、１０ｃｍ程度の奥行きを有すると共に、幅が約４５ｃｍ、高さが約７５ｃｍ程度あるため、枠全体としての容積は大きく、特に空間容積が大きい。
【０００６】
このため、外枠を製造する製造工場で製造した外枠を保管する際、或いは製造した外枠を遊技機メーカーなどに輸送する際、外枠を重ねて収納するとしても、台数が多くなると、多くの保管スペースや運送の際の積荷スペースを必要とする課題があった。
【０００７】
そこで、従来、パチンコ遊技機の外枠において、４隅の各コーナ部と、各コーナ部を摺動可能に接続する横枠部材及び縦枠部材とを備え、各辺部を伸縮可能とした外枠装置が、上記特許文献３において提案されている。
【０００８】
この外枠装置は、各コーナ部に対し各辺部を形成する横枠部材または縦枠部材を、長手方向に摺動可能に差し込み、外枠の横または縦の各辺部を伸縮可能に構成され、外枠の運送時や保管時には、外枠の横または縦の各辺部を短くするように収縮させ、パチンコ遊技機の外枠として使用する際には、横または縦の各辺部を所定の長さに伸長させる構造である。
【０００９】
しかし、この外枠装置は、中空状に形成された４隅の各コーナ部内に、横枠部材または縦枠部材を摺動可能に差し込むことにより、各辺部を伸縮可能な構造としているため、運送時や保管時に、横または縦の各辺部を短く収縮したとしても、その構造上、横または縦の長さの短縮率は約２／３程度と少なく、やはり外枠装置全体としての容積は大きく、空間容積も大きいという不具合があった。
【００１０】
本発明は、上述の課題を解決するものであり、折畳み可能な構造として、保管時或いは運送時に、保管スペースまたは積荷スペースを大幅に削減し、安定して積み重ね保管を行なうことができる遊技機の枠装置を提供することを目的とする。
【課題を解決するための手段】
【００１１】
本発明に係る請求項１の遊技機の枠装置は、上辺を構成する上辺枠と、下辺を構成する下辺枠と、一方の縦辺を構成する第１縦辺枠と、他方の縦辺を構成する第２縦辺枠とを備え、各辺枠を折り畳み可能に連結した、遊技機の枠装置であって、
該上辺枠と該第１縦辺枠を連結する第１上角部は直角から鋭角側に開閉する鋭角丁番によって回動可能に連結され、該上辺枠と該第２縦辺枠を連結する第２上角部は直角から鈍角側に開閉する鈍角丁番によって回動可能に連結され、該下辺枠と該第１縦辺枠を連結する第１下角部は直角から鈍角側に開閉する鈍角丁番によって回動可能に連結され、該下辺枠と該第２縦辺枠を連結する第２下角部は直角から鋭角側に開閉する鋭角丁番によって回動可能に連結され、
該第１上角部及び第２下角部の各鋭角丁番には、丁番の各回動部材の開閉角度を直角状態にロックするロック部材が設けられ、第２上角部及び第１下角部の各鈍角丁番は該上辺枠または該第２縦辺枠或いは下辺枠または第１縦辺枠に対しその長手方向に摺動可能に取り付けられる一方、該鈍角丁番を該上辺枠または該第２縦辺枠内に及び下辺枠または第１縦辺枠引き込むように締め付ける緊締クランプが該鈍角丁番に設けられ、
各鈍角丁番の緊締クランプの締め付けを解除して該鈍角丁番を辺枠から引き出し、各鋭角丁番の各ロック部材のロックを解除したとき、該各角部の鋭角丁番及び鈍角丁番の各回動部材が回動可能となり、各該鋭角丁番が直角から鋭角側に回動し、各該鈍角丁番が直角から鈍角側に回動して、該上辺枠の側面を該第１縦辺枠または第２縦辺枠の側面に当接させ、且つ該下辺枠の側面を該第１縦辺枠または第２縦辺枠の側面に当接させるように各該鋭角丁番と各該鈍角丁番の各回動部材を回動させて折り畳むように構成され、
上記上辺枠または下辺枠の外側面に、折り畳まれた該枠装置の幅寸法と略同一の幅を持つ浅い積層用溝部が所定の間隔をあけて複数個並設され、該枠装置を棒状または板状に折り畳んだ状態で水平載置面上に、複数の該枠装置を直交する形態で上下に積み重ねたとき、該積層用溝部に上または下の枠装置の該上辺枠、下辺枠、第１縦辺枠または第２縦辺枠の外側面が嵌入して積層されることを特徴とする。
【００１２】
この発明によれば、対角線上に位置する２個の鈍角丁番の緊締クランプのクランプを解除し鈍角丁番を枠装置の外側に引き出し、２個の鋭角丁番の各ロック部材を移動させてロックを解除すると、各角部の各鈍角丁番及び各鋭角丁番の各回動部材が回動可能となる。この状態で、鋭角丁番を鋭角側に閉じ鈍角丁番を鈍角側に開く方向に、軽い力を枠装置に加えると、各鋭角丁番が直角から鋭角側に回動し、各鈍角丁番が直角から鈍角側に回動する。これにより、上辺枠の側面が第１縦辺枠または第２縦辺枠の側面に当接するまで鋭角丁番又は鈍角丁番が回動し、同時に下辺枠の側面が第１縦辺枠または第２縦辺枠の側面に当接するまで鋭角丁番又は鈍角丁番が回動し、枠装置の方形枠は棒状の折畳み状態となる。
【００１３】
したがって、この発明の枠装置によれば、方形枠を折り畳んで棒状又は帯板状とすることができるから、遊技機の外枠を製造する製造工場などで製造された枠装置を、それを保管する際、折り畳んで棒状又は帯板状とし、それらを容易に積み重ねて保管することができる。
【００１４】
さらに、折り畳んで棒状又は帯板状とした枠装置は、積み重ねた際、基本的に、折り畳んだ状態の各辺枠の厚さ方向に荷重がかかるため、積層荷重により下側の枠装置が変形する虞はなく、簡単に且つ安全に多くの枠装置を縦に積み重ねて保管することができる。
【００１５】
また、折り畳んだ状態の枠装置を積み重ねる際には、複数の枠装置を水平載置面上に所定の間隔をあけて、先ず１段目を平行に載置し、１段目の上にその１段目の枠装置と直交する形態で２段目を、１段目または２段目の上辺枠または下辺枠の積層用溝部に嵌め込むようにして積み重ね、さらに同様に、３段目、４段目、或いはそれ以上の段を積み重ねることにより、多くの枠装置を安定した状態に積み重ねて保管することができる。また、上辺枠または下辺枠の外側面には、浅い積層用溝部を設けているので、枠装置を島の取付枠に設置する際、上辺枠または下辺枠が取付枠に当接して取り付けられるとき、問題なく枠装置を島に固定することができる。
【００１６】
このように、本発明の枠装置によれば、方形枠状の枠装置をそのまま保管する場合に比べ、極めて少ない保管スペースで多くの枠装置を安定して保管することができ、外枠製造工場などで製造された枠装置を、遊技機メーカーなどに輸送する際、方形枠状の枠装置をそのまま積載して運搬する場合に比べ、運送の際の積荷スペースを大幅に低減すると共に、多くの枠装置を安定した積層状態で運搬し、運送効率を大きく向上させることができる。
【００１７】
さらに、枠装置を輸送する際には、上下の各段の枠装置が相互に直交するように積層した状態で、ロープなどでその積層状態を上下に締結して輸送すれば、荷崩れを防止することができ、安全に且つ安価な輸送コストで運搬することができる。
【００１８】
請求項２の発明は、上記請求項１遊技機の枠装置において、上記第１縦辺枠または第２縦辺枠の外側面に、複数のリブが、折り畳まれた該枠装置の幅寸法と略同一の間隔をあけて並設され、該枠装置を棒状または板状に折り畳んだ状態で水平載置面上に、複数の該枠装置を直交する形態で上下に積み重ねたとき、該リブとリブの間に上または下の枠装置の該上辺枠、下辺枠、第１縦辺枠または第２縦辺枠の外側面が嵌入して積層されることを特徴とする。
【００１９】
この発明によれば、折り畳んだ状態の枠装置を積み重ねる際には、複数の枠装置を水平載置面上に所定の間隔をあけて、先ず１段目を平行に載置し、１段目の上にその１段目の枠装置と直交する形態で２段目を、１段目または２段目の第１縦辺枠または第２縦辺枠のリブとリブの間に、嵌め込むようにして積み重ね、さらに同様に、３段目、４段目、或いはそれ以上の段を積み重ねることにより、多くの枠装置を安定した状態に積み重ねて保管することができる。また、複数のリブを設ける辺枠は、第１縦辺枠または第２縦辺枠の外側面であるので、枠装置の使用時、リブは枠装置の側面に僅かに突出するのみで、枠装置の設置に問題は生じない。
【００２０】
請求項３の発明は、上記請求項１または２の遊技機の枠装置において、枠装置を折り畳んだ状態でその上面から下面を貫通する複数の貫通孔が、上記上辺枠、下辺枠、第１縦辺枠及び第２縦辺枠に形成され、棒状または帯板状に折り畳まれた複数の該枠装置を直交する形態で上下に積み重ねた状態で、該複数の貫通孔に保持棒を嵌挿して積層状態を保持することを特徴とする。
【００２１】
この発明によれば、複数段にわたり積層された枠装置の積層状態を安定して保持し、簡単な操作で、運搬時の荷崩れを防止することができる。
【００２２】
請求項４の発明は、上辺を構成する上辺枠と、下辺を構成する下辺枠と、一方の縦辺を構成する第１縦辺枠と、他方の縦辺を構成する第２縦辺枠とを備え、各辺枠を折り畳み可能に連結した、遊技機の枠装置であって、
該上辺枠と該第１縦辺枠を連結する第１上角部は直角から鋭角側に開閉する鋭角丁番によって回動可能に連結され、該上辺枠と該第２縦辺枠を連結する第２上角部は直角から鈍角側に開閉する鈍角丁番によって回動可能に連結され、該下辺枠と該第１縦辺枠を連結する第１下角部は直角から鈍角側に開閉する鈍角丁番によって回動可能に連結され、該下辺枠と該第２縦辺枠を連結する第２下角部は直角から鋭角側に開閉する鋭角丁番によって回動可能に連結され、
該第１上角部及び第２下角部の各鋭角丁番には、丁番の各回動部材の開閉角度を直角状態にロックするロック部材が設けられ、第２上角部及び第１下角部の各鈍角丁番は該上辺枠または該第２縦辺枠或いは下辺枠または第１縦辺枠に対しその長手方向に摺動可能に取り付けられる一方、該鈍角丁番を該上辺枠または該第２縦辺枠内に及び下辺枠または第１縦辺枠引き込むように締め付ける緊締クランプが該鈍角丁番に設けられ、
各鈍角丁番の緊締クランプの締め付けを解除して該鈍角丁番を辺枠から引き出し、各鋭角丁番の各ロック部材のロックを解除したとき、該各角部の鋭角丁番及び鈍角丁番の各回動部材が回動可能となり、各該鋭角丁番が直角から鋭角側に回動し、各該鈍角丁番が直角から鈍角側に回動して、該上辺枠の側面を該第１縦辺枠または第２縦辺枠の側面に当接させ、且つ該下辺枠の側面を該第１縦辺枠または第２縦辺枠の側面に当接させるように各該鋭角丁番と各該鈍角丁番の各回動部材を回動させて折り畳むように構成され、
前記上辺枠及び下辺枠の内側に、長手方向に沿って板状空間が設けられる一方、該板状空間の両側にガイド溝が形成され、該上辺枠及び下辺枠に長孔が長手方向に向けて設けられ、該上辺枠及び下辺枠内の板状空間には、固定孔を設けた金属固定板が該両側のガイド溝に該金属固定板の両側縁部を摺動可能に係合して取り付けられたことを特徴とする。
【００２３】
この発明によれば、枠装置を遊技場の島に設置する際、島の固定位置の上下の固定枠に対し、枠装置の上辺枠と下辺枠の内側から金属固定板の固定孔に固定ねじを挿入し、上辺枠と下辺枠の長孔を通して固定ねじの先端を固定枠にねじ込んで、枠装置を簡単にねじ止めすることができる。またこの際、金属固定板は辺枠内のガイド溝に沿って任意の位置に移動させることができるので、各遊技場における島の固定枠の大きさや形状が相違する場合でも、金属固定板を摺動させてその位置を調整することにより、簡単に枠装置をねじ止めすることができる。
【発明の効果】
【００２４】
上記のように、本発明の遊技機の枠装置によれば、方形形状の枠を棒状または帯板状に折り畳むことができ、また、枠装置の保管時或いは運送時にはそれらを安定して積み重ねることが可能となって、保管スペースまたは積荷スペースを大幅に削減することができる。
【図面の簡単な説明】
【００２５】
【図１】本発明の一実施形態を示す枠装置の正面図である。
【図２】同枠装置の左側面図である。
【図３】同枠装置の右側面図である。
【図４】同枠装置の平面図（ａ）と底面図（ｂ）である。
【図５】同枠装置の分解正面図である。
【図６】第１縦辺枠、鋭角丁番、鈍角丁番などの分解左側面図である。
【図７】第２縦辺枠、鋭角丁番、鈍角丁番などの分解右側面図である。
【図８】上辺枠、鋭角丁番、鈍角丁番などの分解平面図である。
【図９】下辺枠、鋭角丁番、鈍角丁番などの分解底面図である。
【図１０】鋭角丁番の分解正面図（ａ）、同分解平面図（ｂ）、同分解左側面図（ｃ）である。
【図１１】鈍角丁番の分解正面図（ａ）、同分解平面図（ｂ）、同分解右側面図（ｃ）である。
【図１２】鈍角丁番の拡大正面図である。
【図１３】鋭角丁番の拡大正面図である。
【図１４】直角状態の第１上角部の拡大正面図（ａ）と直角状態の第２上角部の拡大正面図（ｂ）である。
【図１５】直角状態の第１下角部の拡大正面図（ａ）と直角状態の第２下角部の拡大正面図（ｂ）である。
【図１６】折り畳む際の説明図を示し、（ａ）は緊締クランプをクランプ解錠した状態の正面説明図、（ｂ）は緊締クランプの引掛部材を外した状態の正面説明図である。
【図１７】（ａ）は鈍角丁番の第１回動部材を上辺枠と下辺枠の端部から引き出した状態の正面説明図、（ｂ）は折り畳むために菱形状態とした正面説明図である。
【図１８】（ａ）はさらに偏平な菱形状態の正面説明図、（ｂ）は完全に折り畳まれて棒状となった状態の正面説明図である。
【図１９】（ａ）は第２上角部の鈍角丁番の緊締クランプの締付レバーをクランプ解除した状態の拡大正面図、（ｂ）は第１下角部の鈍角丁番の緊締クランプの締付レバーをクランプ解除した状態の拡大正面図である。
【図２０】（ａ）は第２上角部の鈍角丁番の緊締クランプの引掛部材を外した状態の拡大正面図、（ｂ）は第１下角部の鈍角丁番の緊締クランプの引掛部材を外した状態の拡大正面図である。
【図２１】（ａ）は鈍角丁番の緊締クランプの締付レバーをクランプ解除した状態の拡大断面図、（ｂ）は鈍角丁番の緊締クランプの引掛部材を外した状態の拡大断面図である。
【図２２】（ａ）は鈍角丁番の第１回動部材を上辺枠の端部から引き出した状態の拡大正面図、（ｂ）は鈍角丁番の第１回動部材を下辺枠の端部から引き出した状態の拡大正面図である。
【図２３】（ａ）は折り畳むために鈍角に開いた第２上角部の拡大正面図、（ｂ）は鈍角に開いた第１下角部の拡大正面図である。
【図２４】（ａ）は折り畳むために鋭角に回動した第１上角部の拡大正面図、（ｂ）は鋭角に回動した第２下角部の拡大正面図である。
【図２５】（ａ）は折り畳むためにさらに鈍角側に開いた第２上角部の拡大正面図、（ｂ）はさらに鈍角側に開いた第１下角部の拡大正面図である。
【図２６】（ａ）は折り畳むためにさらに鋭角側に回動した第１上角部の拡大正面図、（ｂ）はさらに鋭角側に回動した第２下角部の拡大正面図である。
【図２７】遊技機の外枠としての枠装置を島の取付枠に固定する際の背面側からの斜視図である。
【図２８】遊技機の外枠としての枠装置を島の取付枠に固定する際の正面側からの斜視図である。
【図２９】上辺枠、下辺枠内に金属固定板を嵌め込む際の部分拡大斜視図である。
【図３０】折り畳んで棒状または帯板状になった枠装置の下辺枠、第１縦辺枠側を上面とした斜視図である。
【図３１】折り畳んで棒状または帯板状になった状態の枠装置の上辺枠、第２縦辺枠側を上面とした斜視図である。
【図３２】折り畳まれた多数の枠装置を保管または輸送のために積層した状態の斜視図である。
【発明を実施するための形態】
【００２６】
以下、本発明の一実施形態を図面に基づいて説明する。図１は遊技機の枠装置の正面図を示し、図２はその左側面図、図３はその右側面図を示す。図４（ａ）はその平面図を示し、（ｂ）はその底面図を示す。さらに、図５は枠装置の分解正面図を示している。この枠装置は、ここではパチンコ遊技機の外枠を一例にして説明するが、他の枠に適用することもできる。
【００２７】
枠装置は、図１に示すように、概略的には、上辺を構成する上辺枠１と、下辺を構成する下辺枠２と、一方（左）の縦辺を構成する第１縦辺枠３と、他方（右）の縦辺を構成する第２縦辺枠４とを備え、上辺枠１と第１縦辺枠３を連結する第１上角部５は鋭角丁番１０によって回動（開閉）可能に連結され、上辺枠１と第２縦辺枠４を連結する第２上角部６は鈍角丁番２０によって回動（開閉）可能に連結されている。
【００２８】
また、下辺枠２と第１縦辺枠３を連結する第１下角部７は鈍角丁番２０によって回動（開閉）可能に連結され、下辺枠２と第２縦辺枠４を連結する第２下角部８は鋭角丁番１０によって回動（開閉）可能に連結され、方形枠状の枠装置は、鋭角丁番１０と鈍角丁番２０を回動（開閉）動作させて、折り畳み可能に構成される。なお、本枠装置の正面下部における下ヒンジ金具部３２の下側に、幕板９が水平に固定される。この幕板９は、枠装置を折り畳む際、取り外され、方形枠状に拡張したとき、正面下部に固定される。
【００２９】
上辺枠１、下辺枠２、第１縦辺枠３、及び第２縦辺枠４は、アルミニウムなどの軽金属により、断面を略コ字状、略Ｌ形、または方形状とした中空のチャンネル材または角筒状に成形され、充分な曲げ強度を有し且つ軽量に構成されている。また、上辺枠１と第１縦辺枠３の第１上角部５の端部、及び下辺枠２と第２縦辺枠４の第２下角部の端部には固定ねじを通すための固定孔が穿設され、各辺枠の内側に鋭角丁番１０の第１回動部材１１と第２回動部材１２を差し込み、固定座板と上角保護金具３３及び下角保護金具３６とにより各辺枠を挟むようにして鋭角丁番１０は第１上角部５及び第２下角部８に連結固定される。この２個の鋭角丁番１０によって、第１上角部５と第２下角部８は直角から直角未満の角度まで回動可能となっている。
【００３０】
また、上辺枠１と第２縦辺枠４の第２上角部６及び下辺枠２と第１縦辺枠３の第１下角部には鈍角丁番２０が取り付けられる。第２上角部６の鈍角丁番２０の第１回動部材２１は上辺枠１の右端部に対し摺動可能に取り付けられ、第２縦辺枠４の上端部に対し鈍角丁番２０の第２回動部材２２が固定される。鈍角丁番２０は、第２上角部６と第１下角部７に取り付けられ、枠装置を折り畳む際には直角から約１８０度まで角度を拡大する側に開くように動作する。
【００３１】
このとき、上辺枠１と第２縦辺枠４の第２上角部６及び下辺枠２と第１縦辺枠３の第１下角部において、隙間がないと、拡開回動時に、上辺枠１と第２縦辺枠４の突合せ部及び下辺枠２と第１縦辺枠３の突合せ部が相互に当接し、鈍角丁番２０を開くことができない。このため、第１下角部７の鈍角丁番２０の第１回動部材２１は下辺枠２の左端部に対し摺動可能に取り付けられ、第１縦辺枠３の下端部に対し鈍角丁番２０の第２回動部材２２が固定される。
【００３２】
これにより、第２上角部６と第１下角部７に取り付けられた鈍角丁番２０は、枠装置を折り畳む際、その第１回動部材１１を上辺枠１の右端部または下辺枠２の左端部から引き出して丁番を回動させる構造となっている。また、枠装置を方形に拡張する際、第２上角部６と第１下角部７を鈍角から略直角まで曲折したとき、その第１回動部材１１を上辺枠１の右端部または下辺枠２の左端部内に押し込み、これによって第２上角部６と第１下角部７に生じている隙間をなくし、さらに鈍角丁番２０の第１回動部材２１内に設けた緊締クランプ２５により、その押し込み状態を締付固定する構造となっている。
【００３３】
第１上角部５と第２下角部８を各々鋭角側に回動可能に連結する鋭角丁番１０には、図１０、図１３に示すように、その鋭角丁番１０の第１回動部材１１と第２回動部材１２の開閉角度を直角状態にロックするロックピン(ロック部材)１４が設けられる。また、鋭角丁番１０は、第１回動部材１１と第２回動部材１２を、枢軸１３を介して直角から鋭角側につまり略０度の閉じ角まで回動可能に連結して構成される。第１回動部材１１は、断面コ字状の平板状部分に取付部１１ｃを設け、取付部１１ｃから直角に曲折された両側壁の元部に軸孔を有した軸受部１１ａが形成され、軸受部１１ａには枢軸１３が係合保持される。さらに、その軸受部１１ａの軸孔に連続してガイド溝１１ｂが両側壁部に形成され、このガイド溝１１ｂにロックピン１４が移動可能に挿通される。
【００３４】
さらに、板ばね１５が、ロックピン１４をガイド溝１１ｂ内で係止側に付勢するように、第１回動部材１１の内側にリベットで取り付けられている。ロックピン１４には２箇所に抜け防止用の止め輪が嵌着され、ガイド溝１１ｂ内で且つ板ばね１５内にロックピン１４は保持されて移動可能となっている。
【００３５】
この板ばね１５はばね板材を山形に曲折して形成され、その山形の外側にロックピン１４が嵌入され、ロックピン１４は板ばね１５により第２回動部材１２の係止部１２ｂに係止される側に付勢される。また、図２４、２６に示すように、閉じた枠装置を開くとき、第２回動部材１２の係止部１２ｂはロックピン１４を板ばね１５の付勢力に抗して移動させる。そして、第１回動部材１１と第２回動部材１２が直角に開いたとき、係止部１２ｂがロックピン１４を乗り越えて係止され、ロックピン１４は板ばね１５により係止側に付勢され、直角状態を保持する。なお、板ばね１５は、トーションばね、コイルばねなどとすることもできる。
【００３６】
さらに、図１３に示すように、第１回動部材１１の軸受部１１ａの先端に、ストッパ部１１ｄが突設され、第１回動部材１１と第２回動部材１２が直角に開いたとき、ストッパ部１１ｄが第２回動部材１２の縁部に当たり停止する構造となっている。
【００３７】
鋭角丁番１０の第２回動部材１２の元部には軸支部１２ａが設けられ、軸支部１２ａには枢軸１３が水平に支持される。この軸支部１２ａの内側に上記第１回動部材１１の軸受部１１ａが挿入され、その軸受部１１ａの軸孔にこの枢軸１３が挿通される。これにより、第１回動部材１１と第２回動部材１２は、枢軸１３を軸に、直角から鋭角側に回動可能に連結され、最大開放角度９０度（直角状態）から閉じ角度０度までの範囲で回動する構造となっている。また、この第２回動部材１２の軸支部１２ａの先端上部には、上記ロックピン１４に係止可能な係止部１２ｂが設けられ、図１３に示すように、第１回動部材１１と第２回動部材１２を直角状態まで回動させたとき、係止部１２ｂがロックピン１４を乗り越えた後、ロックピン１４に係止されて停止する。
【００３８】
鈍角丁番２０は、図１１、図１２に示すように、第１回動部材２１と第２回動部材２２を、枢軸２３を軸に直角から鈍角側に、つまり略１８０度の開放角まで回動（開閉）可能に連結して構成される。第１回動部材２１は、固定孔を設けた取付部の先端の両側壁部に、軸受部２１ａを設けて形成され、軸受部２１ａには枢軸２３用の軸孔が穿設され、そこに枢軸２３が支持される。第２回動部材２２の元部に、軸孔を有した軸支部２２ａが形成され、その軸支部２２ａに上記枢軸２３が挿通されて支持される。第２回動部材２２の末端部（図１１の上端部）にストッパ部２２ｂが設けられ、第１回動部材２１と第２回動部材２２の作る角度が直角になったとき、ストッパ部２２ｂが第１回動部材２１の内側に当接して停止する。これにより、第１回動部材２１と第２回動部材２２は枢軸２３を軸に直角から略１８０度の開放角まで回動（開閉）可能となっている。
【００３９】
一方、第１回動部材２１の取付部にはガイド溝２１ｃが長手方向に沿って形成され、そこにガイドピン２１ｄが挿入される。鈍角丁番２０が第２上角部６と第１下角部７に装着される際、ガイドピン２１ｄの先端が上辺枠１または下辺枠２の内側に取着される。
【００４０】
これにより、鈍角丁番２０の第１回動部材２１は上辺枠１または下辺枠２の内側に、それらの辺枠の端部から引き出し可能に取り付けられる。一方、第１回動部材２１の内側には緊締クランプ２５が取り付けられ、上辺枠１または下辺枠２の内側に鈍角丁番２０の第１回動部材２１を押し戻したとき、この緊締クランプ２５により第１回動部材２１は上辺枠１または下辺枠２の内側に引き込まれ、締付固定されるようになっている。
【００４１】
緊締クランプ２５は、締付レバー２６と引掛部材２７を有して構成され、締付レバー２６の元部が第１枢軸２８ａにより第１回動部材２１の端部に、回動可能に枢支される。締付レバー２６は、断面コ字状に形成された第１回動部材２１の内側に入るように第１枢軸２８ａを介して回動可能に取り付けられる。第１枢軸２８ａにはトーションばね２９が装着され、このトーションばね２９により締付レバー２６は第１回動部材２１内に入る側に付勢されている。なお、トーションばね２９は、板ばねとすることもできる。
【００４２】
締付レバー２６の中間部に第２枢軸２８ｂが支持され、引掛部材２７の末端部がこの締付レバー２６に対し第２枢軸２８ｂにより回動可能に軸支される。引掛部材２７の末端部は両側壁部に分離され、両側壁部が締付レバー２６の両側を挟むように配設され、引掛部材２７が締付レバー２６と共に第１回動部材２１の内側に収納可能となっている。
【００４３】
さらに、引掛部材２７の先端に引掛ピン２７ａが両側壁部に掛け渡すように水平に取り付けられ、引掛ピン２７ａは、係止部２４に係止可能とされる。係止部２４は、図２１に示すように、上辺枠１または下辺枠２の内側における第１回動部材２１の端部から少し離れた位置に固定される。係止部２４には係止溝２４ａが設けられ、引掛部材２７の引掛ピン２７ａがその係止溝２４ａに引掛け可能とされる。枠装置を折り畳んだ状態から方形枠状に拡張し、鈍角丁番２０の第１回動部材２１を上辺枠１または下辺枠２の内側に押し戻した後、緊締クランプ２５の締付レバー２６を操作して第１回動部材２１を内側に引き込み、締付固定する構造となっている。
【００４４】
この際、図２１のように、締付レバー２６を第１回動部材２１側に回動操作すると、引掛部材２７がその引掛ピン２７ａを軸に、係止部２４を引き寄せながら回動し、第２枢軸２８ｂが第１枢軸２８ａと引掛ピン２７ａを結ぶラインを、第１回動部材２１の内側に越えることにより、そのデッドポイントを越え、第１回動部材２１を上辺枠１または下辺枠２の内側に引き込み、締付固定する。緊締クランプ２５は、第１枢軸２８ａ、第２枢軸２８ｂ及び引掛ピン２７ａの位置またはそれらの軸間距離を変えることにより、その締付力を増大させるなど調整することができる。
【００４５】
一方、上記鋭角丁番１０は、図５に示すように、方形枠の第１上角部５と、第１上角部５の対角線上にある第２下角部８とに取り付けられる。鋭角丁番１０の第１回動部材１１は第１上角部５の上辺枠１の左端部に差し込まれ、固定ねじにより締付固定され、鋭角丁番１０の第２回動部材１２は、第１縦辺枠３の上端部に差し込まれ、上角保護金具３３を第１縦辺枠３の上端部の外側から覆うように組み付け、第１縦辺枠３の上端部を上角保護金具３３と第２回動部材１２で挟み込むように、固定ねじにより締付固定される。
【００４６】
同様に、第２下角部８の鋭角丁番１０の第１回動部材１１は、下辺枠２の右端部に差し込まれ、固定ねじにより締付固定され、その鋭角丁番１０の第２回動部材１２は、第２縦辺枠４の下端部に差し込まれ、下角保護金具３６を第２縦辺枠４の下端部の外側から覆うように組み付け、第２縦辺枠４の下端部を下角保護金具３６と第２回動部材１２で挟みこむように、固定ねじにより締付固定される。
【００４７】
他方、上記構成の鈍角丁番２０は、図１３に示すように、方形枠の第２上角部６と、第２上角部６の対角線上にある第１下角部７とに取り付けられる。第２上角部６の鈍角丁番２０の第１回動部材２１は、上辺枠１の右端部内に、ガイド溝２１ｃとガイドピン２１ｄの係合により摺動可能に組み付けられ、鈍角丁番２０の第２回動部材２２は第２縦辺枠４の上端部内に差し込まれ、上角保護金具３４を第２縦辺枠４の上端部の外側から覆うように組み付け、第２縦辺枠４の上端部を第２回動部材２２と上角保護金具３４で挟みこむように、固定ねじにより締付固定される。
【００４８】
同様に、第２上角部６の鈍角丁番２０の第１回動部材２１は、下辺枠２の左端部内に、ガイド溝２１ｃとガイドピン２１ｄの係合により摺動可能に組み付けられ、鈍角丁番２０の第２回動部材２２は、第１縦辺枠３の下端部内に差し込まれ、下角保護金具３５を第１縦辺枠３の下端部の外側から覆うように組み付け、第１縦辺枠３の下端部を第２回動部材２２と下角保護金具３５で挟みこむように、固定ねじにより締付固定される。
【００４９】
なお、枠装置の第１上角部５に固定した上角保護金具３３には、パチンコ遊技機の前枠用の上ヒンジ金具部３１が一体に形成されている。上ヒンジ金具部３１は、図５、６のように、上角保護金具３３の上部に水平板部３１ｂを直角に折り曲げて形成し、その水平板部３１ｂに軸孔３１ｃを穿設して形成される。また、その下方の第１下角部７に固定した下角保護金具３５には、前枠用の下ヒンジ金具部３２が固定される。
【００５０】
下ヒンジ金具部３２は、図５、６のように、下角保護金具３５の上部に水平板部３２ｂを直角に折り曲げ、その水平板部３２ｂに軸ピン３２ｃを上向きに突設して形成される。上角保護金具３３は、第１上角部５と鋭角丁番１０の正面側の角部を覆って保護するように固定され、上角保護金具３４は第２上角部６と鈍角丁番２０の正面側の角部を覆って保護するように固定される。下角保護金具３５は、第１下角部７と鋭角丁番１０の正面側の角部を覆って保護するように固定され、下角保護金具３６は、第２下角部８と鈍角丁番２０の正面側の角部を覆って保護するように固定される。
【００５１】
この枠装置は、パチンコ遊技機の外枠として形成され、外枠の前面側には、上ヒンジ金具部３１と下ヒンジ金具部３２を介して前枠が開閉可能に装着され、前枠には図示しない施錠装置が取り付けられる。その施錠装置のフックが係止される受け金具３７が、第２縦辺枠４の内側の所定位置に固定されている。
【００５２】
また、この枠装置は、パチンコ遊技機の外枠として使用された場合、遊技場の島に設置され、その島の上下の取付枠に、上辺枠１と下辺枠２を固定して取り付けられるが、図８、図９に示すように、上辺枠１と下辺枠２の中間部に、枠装置を遊技場の島に固定するための長孔１ａ，２ａが形成され、その内側に金属固定板３８が挿入されている。
【００５３】
次に、上記構成の枠装置の使用態様を説明する。この枠装置は、上記のように折り畳み可能に構成され、遊技機の外枠として使用される際には、図１に示すように、方形の枠状に拡張される。
【００５４】
方形に拡張された枠装置を折り畳む際には、先ず、正面下部から幕板９を外し、図１６のように、第２上角部６と第１下角部７における各鈍角丁番２０、２０の緊締クランプ２５のクランプを外す。この際、図２１（ａ）のように、先ず、緊締クランプ２５の締付レバー２６を回動操作して、引掛部材２７を鈍角丁番２０の第１回動部材２１の外側に回動させる。
【００５５】
このとき、引掛部材２７はその引掛ピン２７ａ、第１枢軸２８ａ及び第２枢軸２８ｂを結ぶライン上のデッドポイントを越えて回動し、引掛部材２７の引掛ピン２７ａと係止部２４の係止溝２４ａの係止が解除され、図２１（ｂ）のように、引掛ピン２７ａが係止溝２４ａから外される。このとき、第２上角部６と第１下角部７の鈍角丁番２０の第１回動部材２１は、長手方向に摺動可能となり、図１７（ａ）の如く、第１縦辺枠３と第２縦辺枠４を持って、両側に引き出すように操作する。
【００５６】
これにより、図２２のように、第２上角部６と第１下角部７の鈍角丁番２０の第１回動部材２１が、両側長手方向に所定の長さだけ引き出される。この鈍角丁番２０の第１回動部材２１の外側への引き出しにより、上辺枠１の端部と第２縦辺枠４の端部に隙間が生じ、且つ下辺枠２の端部と第１縦辺枠３の端部に隙間が生じ、第２上角部６と第１下角部７の鈍角丁番２０は直角から約１８０度まで回動可能な状態となる。
【００５７】
次に、第１上角部５と第２下角部８の各鋭角丁番１０、１０のロックピン１４を、板ばね１５の付勢力に抗して、指などによりガイド溝１１ｂの奥側に動かし、第２回動部材１２の係止部１２ｂとロックピン１４の係合を解除して、ロックピン１４による第２回動部材１２のロックを解除する。これにより、第１上角部５と第２下角部８の各鋭角丁番１０は、その第１回動部材１１と第２回動部材１２が、直角から鋭角側に回動可能な状態となる。
【００５８】
したがって、図１７（ｂ）のように、枠装置の斜め上から折り畳む方向に軽い力を加えると、第１上角部５と第２下角部８の各鋭角丁番１０、１０が直角から鋭角側に図２４のように回動し、第２上角部６と第１下角部７の各鈍角丁番２０、２０が直角から鈍角側に図２３のように回動を開始する。
【００５９】
そして、図１８（ａ）のように、さらに方形枠を折り畳む方向に力を加えると、第１上角部５と第２下角部８の各鋭角丁番１０、１０が鋭角側に図２６のように回動し、第２上角部６と第１下角部７の各鈍角丁番２０、２０がさらに鈍角側に図２５のように回動する。そして最終的には、図１８（ｂ）の如く、上辺枠１の側面が第１縦辺枠３の側面に当接するまで鋭角丁番１０と鈍角丁番２０が回動し、且つ下辺枠２の側面が第２縦辺枠４の側面に当接するまで鋭角丁番１０と鈍角丁番２０が回動し、折畳み状態となる。
【００６０】
このように、本枠装置は、先ず、第２上角部６と第１下角部７の各鈍角丁番２０における緊締クランプ２５のクランプを外し、第２上角部６と第１下角部７の鈍角丁番２０の第１回動部材２１を外側に所定の長さだけ引き出し、第１上角部５と第２下角部８の各鋭角丁番１０、１０のロックピン１４を、手動で動かして第２回動部材１２の係止部１２ｂとの係合を外し、枠を折り畳む方向に軽く力を加えるだけの簡単な操作で、折り畳むことができる。
【００６１】
また、このとき、上辺枠１、下辺枠２、第１縦辺枠３、及び第２縦辺枠４が図１８（ｂ）のように棒状又は帯板状に折り畳まれるから、遊技機の外枠を製造する製造工場などで製造された枠装置を保管する際、折り畳んで棒状又は帯板状とし、それらを容易に積み重ねて保管することができ、方形枠状の枠装置をそのまま保管する場合に比べ、極めて少ない保管スペースで多くの枠装置を保管することができる。
【００６２】
また、外枠製造工場などで製造された枠装置を、遊技機メーカーなどに輸送する際にも、棒状に折り畳んで積載し、運送するから、方形枠状の枠装置をそのまま積載して運搬する場合に比べ、運送の際の積荷スペースを大幅に低減することができ、枠装置の運送効率を大きく向上させることができる。
【００６３】
一方、折り畳んだ状態の枠装置を方形枠にする場合、第２上角部６を上方に持ち上げる。このとき、枠装置は、その第１上角部５の鋭角丁番１０、第２下角部８の鋭角丁番１０が鋭角を広げるように、第２上角部６の鈍角丁番２０、第１下角部７の鈍角丁番２０が鈍角を閉じるように回動し、図１８（ｂ）の棒状から図１８（ａ）、図１７（ｂ）の菱形を経て、図１７（ａ）のような方形形状になる。
【００６４】
この状態で、第１上角部５の鋭角丁番１０、第２下角部８の鋭角丁番１０は、第１回動部材１１と第２回動部材１２の角度が直角になると、第２回動部材１２の係止部１２ｂがロックピン１４に自動的に係止され、直角状態に保持される状態となる。
【００６５】
一方、第２上角部６の鈍角丁番２０、第１下角部７の鈍角丁番２０においては、外側に引き出されていた第１回動部材２１を上辺枠１の端部または下辺枠２の端部内に押し込み、図２１（ａ）のように、緊締クランプ２５の引掛部材２７の引掛ピン２７ａを、係止部２４の係止溝２４ａに引っ掛ける。そして、緊締クランプ２５の締付レバー２６を第１回動部材２１の内側に入れるように操作すると、鈍角丁番２０の第１回動部材２１が上辺枠１または下辺枠２の端部内に引き込む側に締め付けられクランプされる。
【００６６】
鈍角丁番２０が直角状態からその角度を拡張する側に開く際、上辺枠１と第２縦辺枠４の突合せ部、及び下辺枠２と第１縦辺枠３の突合せ部に隙間が必然的に必要となるが、この隙間は鈍角丁番２０を辺枠から引き出したときに形成されて折り畳み動作は支障なく行なわれ、枠装置を方形枠状に拡張したとき、緊締クランプ２５により鈍角丁番２０を辺枠内に引き込み締め付けるため、辺枠間の隙間はその緊締クランプ２５の締め付け動作により解消される。さらに、緊締クランプ２５により辺枠間を締付固定するため、枠装置を方形形状に拡張したときの形状を強固に保持し、各角部に生じやすいガタツキを防止することができる。
【００６７】
また、枠装置を方形枠状として緊締クランプ２５を締め付け、上辺枠１と第２縦辺枠４及び下辺枠２と第１縦辺枠３を直角状態としたとき、緊締クランプ２５の締付レバー２６及び引掛部材２７は鈍角丁番２０の第１回動部材２１または第２回動部材２２の内側に収納され、鈍角丁番２０は上辺枠１、第２縦辺枠４、下辺枠２、第１縦辺枠３の角部に収納されるので、緊締クランプ２５が枠装置の枠としての使用時に邪魔になることはなく、また、枠装置を折り畳んだ際にも内側に収納されて折り畳み動作を阻害することはない。
【００６８】
このように、棒状の方形枠を広げて各角部を直角とし、鈍角丁番２０の第１回動部材２１を上辺枠１と下辺枠２の端部内に押し込み、緊締クランプ２５を操作して、鈍角丁番２０の第１回動部材２１を辺枠内に締付固定するという簡単な操作により、折り畳んだ状態の枠装置を、方形枠の使用状態に戻すことができる。
【００６９】
方形枠に戻された、パチンコ遊技機の外枠として使用されるが、その場合、枠装置は図２７，２８に示すように、遊技場の島に設けられた上部と下部の木製の取付枠４５，４５間に、設置される。
【００７０】
上述のように、この枠装置には、図２９に示す如く、上辺枠１及び下辺枠２の内側に、長手方向に沿って板状空間が設けられ、板状空間の両側にガイド溝１ｂ、２ｂが長手方向に形成されている。そして、金属固定板３８が、両側のガイド溝１ｂ、２ｂにその両側縁部を摺動可能に係合させるように、上辺枠１と下辺枠２内に挿入して取り付けられている。
【００７１】
したがって、パチンコ遊技機の外枠としての枠装置を、島の取付枠４５，４５間に取り付ける場合、図２７，２８に示す如く、金属固定板３８を、その固定孔３８ａと長孔１ａ，２ａの位置が一致する範囲で、任意の位置に移動させ、固定ねじ（木ねじ）３９を金属固定板３８の固定孔３８ａ上辺枠または下辺枠２の長孔１ａ，２ａに挿通し、さらに固定ねじ３９の先端を上部と下部の取付枠４５にねじ込んで枠装置を取り付ける。島に設けた木製の取付枠４５に、大きさや形状のばらつきがあっても、金属固定板３８を摺動させて、金属固定板３８の位置を所望の位置に変え、遊技機をより簡単に遊技場の島に取り付けることができる。また、枠装置の上辺枠１と下辺枠２は、アルミニウムなどの比較的強度の低い金属により成形されるが、金属固定板３８を鋼板から形成すれば、アルミニウム製の上辺枠１と下辺枠２を島の取付枠に直接ねじ止めした場合に比べ、枠装置の取付強度を格段に向上させることができる。
【００７２】
図３０、３１は、他の実施形態における折り畳んだ状態の枠装置を示している。この枠装置は、それを折り畳んで棒状または帯板状としたとき、安定して積層が可能なように、上辺枠１または下辺枠２の外側面に、折り畳まれた枠装置の幅寸法と略同一の幅を持つ浅い積層用溝部４１が所定の間隔をあけて複数個並設されている。これにより、枠装置を棒状または帯板状に折り畳んだ状態で、水平載置面上に、複数の枠装置を直交する形態で上下に積み重ねたとき、積層用溝部４１に上または下の枠装置の上辺枠１、下辺枠２、第１縦辺枠３または第２縦辺枠４の外側面が嵌入して積層されるようになっている。図３０の例では、浅い積層用溝部４１は、下辺枠２の外側面に形成されているが、上辺枠１の外側面に形成することもできる。また、この浅い積層用溝部４１は、上辺枠１または下辺枠２の外側面に設けられるが、枠装置を島の取付枠に取り付ける際、ガタツキなどの問題を生じることなく、上辺枠１と下辺枠２を取付枠に当接させて枠装置を固定することができる。
【００７３】
さらに、図３０に示すように、第１縦辺枠３または第２縦辺枠４の外側面に、複数のリブ４２が、折り畳まれた枠装置の幅寸法と略同一の間隔をあけて並設され、枠装置を棒状または板状に折り畳んだ状態で水平載置面上に、複数の枠装置を直交する形態で上下に積み重ねたとき、リブ４２とリブ４２の間に上または下の枠装置の上辺枠１、下辺枠２、第１縦辺枠３または第２縦辺枠４の外側面が嵌入して積層されるようになっている。図３０の例では、リブ４２は、第１縦辺枠３の両側に１対づつ設けられているが、一方の側のみにリブを設けることもできる。また、第２縦辺枠４の外側面の両側にまたは一方の側に設けることもできる。
【００７４】
このリブ４２は、第１縦辺枠３または第２縦辺枠４の外側面に設けられるが、枠装置を遊技機の外枠として使用する際、リブ４２は枠装置の側部に僅かに突出するのみであるので、枠装置を島の取付枠に設置する際、その取付精度などに何の問題も生じない。
【００７５】
折り畳んで棒状または帯板状とされた枠装置は、運搬或いは保管する際、図３２のように、先ず、第１段目として、図３０のように折り畳んだ枠装置を、その下辺枠２と第１縦辺枠３とが上面にくるように、所定の間隔で並べる。次に、その第１段目の上に、第２段目として、図３０のように折り畳んだ枠装置を、下側の積層用溝部４１に、上辺枠１、下辺枠２、第１縦辺枠３または第２縦辺枠４の外側面が嵌入するように積層し、同様に、第１段目のリブ４２とリブ４２の間に、第２段目の枠装置が嵌るように、つまり上段の枠装置と下段の枠装置が直交するように、並べて積層していく。
【００７６】
これにより、第２段目の上辺枠１、下辺枠２、第１縦辺枠３または第２縦辺枠４の外側面が、第１段目の積層用溝部４１内または第１段目のリブ４２とリブ４２の間に嵌入し、安定して多数の枠装置を積層することができる。このようにして、第２段目の上に第３段目を積層し、第３段目の上に第４段目を、上段の枠装置と下段の枠装置が直交するように、多段状に安定して積層することができる。
【００７７】
このように多数の枠装置を積層したものを運搬する場合、上下の各段の枠装置が相互に直交するように積層されるため、ロープなどでその積層状態を上下に締結して輸送すれば、荷崩れを防止することができる。
【００７８】
一方、輸送時などの荷崩れを防止するために、枠装置を折り畳んだ状態でその上面から下面を貫通する複数の貫通孔を、上記上辺枠１、下辺枠２、第１縦辺枠３及び第２縦辺枠４に形成し、棒状または板状に折り畳まれた複数の枠装置を直交する形態で上下に積み重ねた状態で、複数の貫通孔にボルトやピンなどの保持棒を嵌挿して積層状態を保持するようにすることもできる。
【符号の説明】
【００７９】
１      上辺枠
１ａ    長孔
１ｂ    ガイド溝
２      下辺枠
３      第１縦辺枠
４      第２縦辺枠
５      第１上角部
６      第２上角部
７      第１下角部
８      第２下角部
１０    鋭角丁番
１１    第１回動部材
１２    第２回動部材
１３    枢軸
１４    ロックピン
２０    鈍角丁番
２２    第２回動部材
２３    枢軸
２４    係止部
２５    緊締クランプ
２６    締付レバー
３３    上角保護金具
３４    上角保護金具
３５    下角保護金具
３６    下角保護金具
３８    金属固定板
３８ａ  固定孔
３９    固定ねじ
４１    積層用溝部
４２    リブ
４５    取付枠
【図１】
2011010825.tif 000003
【図２】
2011010825.tif 000004
【図３】
2011010825.tif 000005
【図４】
2011010825.tif 000006
【図５】
2011010825.tif 000007
【図６】
2011010825.tif 000008
【図７】
2011010825.tif 000009
【図８】
2011010825.tif 000010
【図９】
2011010825.tif 000011
【図１０】
2011010825.tif 000012
【図１１】
2011010825.tif 000013
【図１２】
2011010825.tif 000014
【図１３】
2011010825.tif 000015
【図１４】
2011010825.tif 000016
【図１５】
2011010825.tif 000017
【図１６】
2011010825.tif 000018
【図１７】
2011010825.tif 000019
【図１８】
2011010825.tif 000020
【図１９】
2011010825.tif 000021
【図２０】
2011010825.tif 000022
【図２１】
2011010825.tif 000023
【図２２】
2011010825.tif 000024
【図２３】
2011010825.tif 000025
【図２４】
2011010825.tif 000026
【図２５】
2011010825.tif 000027
【図２６】
2011010825.tif 000028
【図２７】
2011010825.tif 000029
【図２８】
2011010825.tif 000030
【図２９】
2011010825.tif 000031
【図３０】
2011010825.tif 000032
【図３１】
2011010825.tif 000033
【図３２】
2011010825.tif 000034